(57)【特許請求の範囲】
【請求項１】
長方形状の１枚のベース用シート(11)を２以上に折畳むことにより少なくとも２枚の紙片(12,13)が連続して形成されかつ折畳んで前記紙片(12,13)の周縁を接着することにより封筒(10)が形成され、前記封筒(10)の隣接する一対の紙片(12,13)を折り畳んだとき前記一対の紙片(12,13)間の第１折り目(11a)と平行な第３折り目(31a)を介して逆方向に折り畳まれる補助シート(31)の両側部が前記第１折り目(11a)から所定の隙間をあけて前記一対の紙片(12,13)の内面にそれぞれ接着され、折り畳んだ前記一対の紙片(12,13)を開いたとき前記第３折り目(31a)を頂部として接続する一対の傾斜部(31b,31c)が前記補助シート(31)に形成される封筒構造において、
前記第３折り目(31a)に平行な第１及び第２長孔(31f,31g)が前記一対の傾斜部(31b,31c)にそれぞれ形成され、
板状の情報媒体(32)が前記第１及び第２長孔(31f,31g)を貫通して支持され、
前記一対の紙片(12,13)を折り畳んだとき前記板状の情報媒体(32)が逆方向に折り畳まれた前記補助シート(31)に重なって前記一対の紙片(12,13)に挟まれ、
前記一対の紙片(12,13)を前記第１折り目(11a)で折り畳む前及び折り畳んだ前記一対の紙片(12,13)を開いたとき前記情報媒体(32)が開かれた前記一対の紙片(12,13)と略平行になるように構成された
ことを特徴とする封筒構造。
【請求項２】
情報媒体(32)が中央に孔(32a)を有し、一対の傾斜部(31b,31c)に支持された前記情報媒体(32)の孔に対向する第３折り目(31a)にスリット(31h)が形成され、前記スリット(31h)に挿通して前記孔(32a)に係止する係止片(33)が設けられた請求項１記載の封筒構造。
【請求項３】
情報媒体の孔(32a)に対応する係止片(33)に前記係止片(33)を横断するミシン目(33c)が形成された請求項２記載の封筒構造。
【発明の詳細な説明】
【０００１】
【発明の属する技術分野】
本発明は、カード，優待券，商品カタログ、商品見本、小冊子又はコンパクトディスク等を封入し、ダイレクトメールで郵送したり街頭で配布したり、若しくは郵送によらない便により宅配するのに適した封筒構造に関するものである。
【０００２】
【従来の技術】
ダイレクトメールは、広告主が訴求する必要のある顧客に限定して郵送により商品情報を提供し、顧客の購買を促すための広告手段として近年盛んに採り入れられている。ダイレクトメールで多くの商品情報を顧客に届ける場合には、封筒にカード，優待券，商品カタログ、商品見本、小冊子又はコンパクトディスク等を封入している。
【０００３】
【発明が解決しようとする課題】
しかし、情報が氾濫している近年においては、上記従来の封筒によるダイレクトメールの場合、このダイレクトメールを受取人が開封しても、よく内容を読まずに破棄してしまう場合があり、ダイレクトメールの受取人における滞留時間が極めて短い不具合がある。
本発明の目的は、開封した受取人に封筒の内容に興味を持たせることができ、この受取人における滞留期間を延すことができる封筒構造を提供することにある。
【０００４】
【課題を解決するための手段】
請求項１に係る発明は、図１に示すように、長方形状の１枚のベース用シート１１を２以上に折畳むことにより少なくとも２枚の紙片１２，１３が連続して形成されかつ折畳んで紙片１２，１３の周縁を接着することにより封筒が形成され、封筒１０の隣接する一対の紙片１２，１３を折り畳んだとき一対の紙片１２，１３間の第１折り目１１ａと平行な第３折り目３１ａを介して逆方向に折り畳まれる補助シート３１の両側部が第１折り目１１ａから所定の隙間をあけて一対の紙片１２，１３の内面にそれぞれ接着され、折り畳んだ一対の紙片１２，１３を開いたとき第３折り目３１ａを頂部として接続する一対の傾斜部３１ｂ，３１ｃが補助シート３１に形成される封筒構造の改良である。
【０００５】
その特徴ある構成は、第３折り目３１ａに平行な第１及び第２長孔３１ｆ，３１ｇが一対の傾斜部３１ｂ，３１ｃにそれぞれ形成され、板状の情報媒体３２が第１及び第２長孔３１ｆ，３１ｇを貫通して支持され、一対の紙片１２，１３を折り畳んだとき板状の情報媒体３２が逆方向に折り畳まれた補助シート３１に重なって一対の紙片１２，１３に挟まれ、一対の紙片１２，１３を第１折り目１１ａで折り畳む前及び折り畳んだ一対の紙片１２，１３を開いたとき情報媒体３２が開かれた一対の紙片１２，１３と略平行になるように構成されたところにある。
この請求項１に記載された封筒構造では、封筒１０を開くと、情報媒体３２が開かれた一対の紙片１２，１３と略平行になる。これを見た顧客は興味を示し、その情報媒体を取り出すとともに、一対の紙片１２，１３内面及びその補助シート３１に印刷された情報を読む。
【０００６】
請求項２に係る発明は、請求項１に係る発明であって、情報媒体３２が中央に孔３２ａを有し、一対の傾斜部３１ｂ，３１ｃに支持された情報媒体３２の孔に対向する第３折り目３１ａにスリット３１ｈが形成され、スリット３１ｈに挿通して孔３２ａに係止する係止片３３が設けられた封筒構造である。
【０００７】
請求項３に係る発明は、請求項２に係る発明であって、情報媒体の孔３２ａに対応する係止片３３に係止片３３を横断するミシン目３３ｃが形成された封筒構造である。
請求項２に係る発明では、係止片３３をスリット３１ｈに挿通することによりその先端が情報媒体の孔３２ａに進入し、第１及び第２長孔３１ｆ，３１ｇを貫通して補助シート３１に支持された情報媒体３２がその補助シート３１から離脱することを防止し、請求項３に係る発明では、情報媒体３２を第１及び第２長孔３１ｆ，３１ｇから引き出すとミシン目３３ｃが破断し、その情報媒体３２を傷つけることなく補助シート３１から取り外すことができる。
【０００８】
【発明の実施の形態】
次に本発明の実施の形態を図面に基づいて説明する。
図１に示すように、ダイレクトメール用の封筒は長方形状の１枚のベース用シート１１により形成され、このシート１１をその横方向で１回折って２つに折畳むことにより、左から順に表紙部を形成する第１紙片１２及び裏紙部を形成する第２紙片１３が形成される。図１の符号１１ａはベース用シート１１の第１折り目である。ここで図１に示されるベース用シート１１のうち図に現れている面を内面とし、図に現れていない面を表面とする。第１紙片１２内面の上縁，下縁及び一方の側縁（第１折り目１１ａとは反対側の側縁）には第１接着剤層２１がそれぞれ形成され、第２紙片１３内面の上縁，下縁及び一方の側縁（第１折り目１１ａとは反対側の側縁）には第２接着剤層２２がそれぞれ形成される。第１及び第２接着剤層２１，２２は植物ゴムを主成分とする透明な糊で構成され、接着後引き剥がすと封筒が破けずに第１紙片１２と２紙片１３を簡単に剥離して封筒を開くことができるように剥離可能に構成される。
【０００９】
この実施の形態における封筒は、主にコンパクトディスク等の中央に孔を有する板状の情報伝達媒体を顧客に届ける場合に有効な封筒構造である。この封筒は、長方形状の１枚のベース用シート１１を２以上に折畳むことにより２枚の紙片１２，１３が連続して形成され、折畳んでこの紙片１２，１３の周縁を接着することにより形成される。この隣接する一対の紙片１２，１３には補助シート３１の両側部がそれぞれ接着される。補助シート３１は第１及び第２紙片１２，１３を折り畳んだとき逆方向に折り畳まれるように折り曲げられる。補助シート３１の折り畳みは、一対の紙片１２，１３間の第１折り目１１ａと平行な第３折り目３１ａを介して行われ、折り畳んだ一対の紙片１２，１３を開いたときこの第３折り目３１ａを頂部として接続する一対の傾斜部３１ｂ，３１ｃが形成される。補助シート３１の両側部の接着は一対の傾斜部３１ｂ，３１ｃに連設された一対の接着片３１ｄ，３１ｅを介して行われ、一対の接着片３１ｄ，３１ｅは一対の傾斜部３１ｂ，３１ｃの下縁が第１折り目１１ａから所定の隙間をあけて位置するように一対の紙片１２，１３の内面にそれぞれ接着される。
【００１０】
一対の傾斜部３１ｂ，３１ｃには第３折り目３１ａに平行な第１及び第２長孔３１ｆ，３１ｇがそれぞれ形成され、顧客に届ける対象である板状の情報媒体３２はこの第１及び第２長孔３１ｆ，３１ｇを貫通して補助シート３１に支持される。この実施の形態における情報伝達媒体３２は中央に孔３２ａを有するコンパクトディスクであり、図２（ｃ）に示すように一対の紙片１２，１３を折り畳んだとき逆方向に折り畳まれた補助シート３１に重なって一対の紙片１２，１３に挟まれるような大きさのものである。一対の傾斜部３１ｂ，３１ｃに支持された情報媒体３２の孔３２ａに対向する第３折り目３１ａにはスリット３１ｈが形成され、このスリット３１ｈには係止片３３が挿通される。
【００１１】
係止片３３はスリットに実際に挿通される片本体３３ａとこの片本体３３ａの上縁に連続して形成されスリット３１ｈの周縁に係止する折り曲げ部３３ｂが一体的に形成される。この係止片３３は片本体３３ａをスリット３１ｈに挿通することによりその先端がコンパクトディスク３２の孔３２ａに進入し、第１及び第２長孔３１ｆ，３１ｇを貫通して補助シート３１に支持されたコンパクトディスク３２がその補助シート３１から離脱することを防止するように構成される。折り曲げ部３３ｂは片本体３３ａの先端がコンパクトディスクの孔３２ａに進入した状態でスリット３１ｈの周縁に係止し、片本体３３ａのそれ以上の進入を防止するように構成される。コンパクトディスクの孔３２ａに対応する片本体３３ａの両側には切り欠き３３ｄ、３３ｄが形成され、コンパクトディスク３２を第１及び第２長孔３１ｆ，３１ｇから引き出すときに破断するミシン目３３ｃがこの切り欠き３３ｄ、３３ｄを結ぶように片本体３３ａを横断して形成される。
【００１２】
このように構成された封筒の組立手順を説明する。
図１及び図２（ａ）に示すように、先ずベース用シート１１の周縁に第１及び第２接着剤層２１，２２を形成するとともに、補助シート３１を第３折り目３１ａで予め折曲げ、一対の傾斜部３１ｂ，３１ｃにそれぞれ連設された接着片３１ｄ，３１ｅを開かれた状態の第１及び第２紙片１２，１３の内面に剥離不能に接着する。次に情報媒体であるコンパクトディスク３２を図１の実線矢印で示すように傾斜部３１ｂ，３１ｃの第１及び第２長孔３１ｆ，３１ｇに貫通させ、コンパクトディスク３２を補助シート３１に支持させる。その後係止片３３を第３折り目３１ａのスリット３１ｈに上側から挿通し、その片本体３３ａの先端をコンパクトディスク３２の孔３２ａに進入させるとともに、折り曲げ部３３ｂをスリット３１ｈの周縁に接着する。
【００１３】
このようにしてコンパクトディスク３２がその補助シート３１から離脱しないようにした後、ベース用シート１１を第１折り目１１ａで図２（ｂ）に示すように折曲げる。ベース用シート１１をコンパクトディスクの側縁近傍にまで折り曲げた状態で、コンパクトディスク３２を補助シート３１の弾性を利用して図２（ｂ）の実線矢印で示すように回転させ、ベース用シート１１を更に折曲げる。このようにしてベース用シート１１を更に折曲げると、図２（ｃ）に示すように補助シート３２は一対の紙片１２，１３と逆方向に折り畳まれ、コンパクトディスクは補助シート３１に重なって一対の紙片１２，１３に挟まれる。その後、第１紙片１２及び第２紙片１３を第１及び第２接着剤層２１，２２を介して剥離可能に接着することにより、コンパクトディスク３２が封滅された封筒１０が形成される。
【００１４】
このように構成された封筒１０を広告主が投函して郵送するか、或いは街頭で配布したり、若しくは郵送によらない便により宅配することにより顧客に届ける。この封筒１０を受け取った顧客がこの封筒１０を開封し、折り畳んだ一対の紙片１２，１３を開く。すると、補助シート３１の一対の傾斜部３１ｂ，３１ｃは徐々にその間隔を広げ、ベース用シート１１がコンパクトディスクに接触しなくなった状態で補助シートの復元力により図２（ｂ）の破線矢印で示すようにコンパクトディスク３２が回転し、一対の紙片１２，１３が完全に開かれた状態で図２（ａ）に示すようにベースシート１１と略平行な状態に復元する。これを見た顧客はそのコンパクトディスク３２に興味を示し、そのコンパクトディスク３２を第１及び第２長孔３１ｆ，３１ｇから引き出す。コンパクトディスク３２を引き出すと係止片３３に形成されたミシン目３３ｃは破断し、コンパクトディスク３２を傷つけることなく補助シート３１から取り外すことができる。
【００１５】
なお、上述した第３の実施の形態では、係止片３３を第３折り目３１ａのスリット３１ｈに挿通して孔３２ａに進入させ、折り曲げ部３３ｂをスリット３１ｈの周縁に接着させたが、折り曲げ部３３ｂを接着させることなく封筒を形成し、コンパクトディスクを取り出す際にこの係止片３３をスリット３１ｈから引き抜き、その後コンパクトディスク３２を第１及び第２長孔３１ｆ，３１ｇから引き出すようにしても良い。この場合には片本体３３ａに形成したミシン目３３ｃは不要になる。
【００１６】
また、上述した第３の実施の形態では、係止片３３を第３折り目３１ａのスリット３１ｈに挿通して孔３２ａに進入させたが、図３及び図４に示すように、係止片３３をベースシート１１側から情報媒体３２の孔３２ａに進入させてもよい。端部を孔３２ａに進入させた係止片３３は補助シート３１の傾斜部３１ｃ（図３）又はベースシート１１（図４）に接着することが好ましい。この場合の封筒の組立手順は、補助シート３１を第３折り目３１ａで予め折曲げて傾斜部３１ｂ，３１ｃの第１及び第２長孔３１ｆ，３１ｇにコンパクトディスク３２を貫通させ、係止片３３の端部をコンパクトディスクの孔３２ａに進入させて補助シート３１の傾斜部（図３）又はベースシート１１（図４）に接着し、その後一対の傾斜部３１ｂ，３１ｃにそれぞれ連設された接着片３１ｄ，３１ｅを開かれた状態の第１及び第２紙片１２，１３の内面に剥離不能に接着することが必要である。
【００１７】
【発明の効果】
以上述べたように、本発明によれば、封筒の隣接する一対の紙片を折り畳んだときその一対の紙片間の第１折り目と平行な折り目を介して逆方向に折り畳まれる補助シートの両側部を一対の紙片の内面にそれぞれ接着し、折り畳んだ一対の紙片を開いたとき折り目を頂部として接続する一対の傾斜部を補助シートに形成し、その折り目に平行な第１及び第２長孔を一対の傾斜部にそれぞれ形成し、一対の紙片を折り畳んだとき逆方向に折り畳まれた補助シートに重なって一対の紙片に挟まれる板状の情報媒体を第１及び第２長孔に貫通して支持させ、一対の紙片を折り畳む前及び折り畳んだ一対の紙片を開いたときその情報媒体が開かれた一対の紙片と略平行になるように構成したので、その封筒を開くと、情報媒体が開かれた一対の紙片と略平行になり、これを見た顧客の興味をひくことができる。この場合、係止片の先端を情報媒体の孔に進入させれば、情報媒体が補助シートから離脱することを防止することができ、情報媒体の孔に対応する係止片にミシン目を形成すれば、第１及び第２長孔から引き出すだけでミシン目が破断し、情報媒体を傷つけることなく補助シートから取り外すことができる。
【図面の簡単な説明】
【図１】  本発明の実施形態の封筒が開封された状態を示す斜視図。
【図２】  その封筒が開閉する状態を示す正面図。
【図３】  係止片が傾斜部に接着された状態を示す正面図。
【図４】  係止片がベースシートに接着された状態を示す正面図。
【符号の説明】
１０  封筒
１１  ベース用シート
１１ａ  第１折り目
１２  第１紙片
１３  第２紙片
３１  補助シート
３１ａ  第３折り目
３１ｂ，３１ｃ  傾斜部
３１ｆ，３１ｇ  長孔
３１ｈ  スリット
３２  情報媒体
３２ａ  孔
３３  係止片
３３ｃ  ミシン目
【図１】
0003846677.tif 000002
【図２】
0003846677.tif 000003
【図３】
0003846677.tif 000004
【図４】
0003846677.tif 000005